(57)【要約】【課題】  レンズ加工において、消臭機能及び消泡機能を効果的に発揮することができる消臭消泡剤、レンズ加工消臭消泡方法、及びレンズ加工方法を提供する。【解決手段】  レンズを加工時における加工水又は排水と混合させながら用いられる消臭消泡剤であって、両性界面活性剤と、自己乳化型消泡剤と、を備え、消臭機能、及び消泡機能を有する。さらに、両性界面活性剤は、ベタイン型両性界面活性剤であってもよい。さらに、防錆剤を備えてもよい。さらに、防錆剤を備えてもよい。【選択図】  なし【特許請求の範囲】
【請求項１】
レンズを加工時における加工水又は排水と混合させながら用いられる消臭消泡剤であって、
両性界面活性剤と、
自己乳化型消泡剤と、
を備え、
消臭機能及び消泡機能を有することを特徴とする消臭消泡剤。
【請求項２】
請求項１の消臭消泡剤において、
前記両性界面活性剤は、ベタイン型両性界面活性剤であることを特徴とする消臭消泡剤。
【請求項３】
請求項１又は２の消臭消泡剤において、
さらに、防錆剤を備えることを特徴とする消臭消泡剤。
【請求項４】
請求項１〜３のいずれかの消臭消泡剤において、   
さらに、カチオン界面活性剤を備えることを特徴とする消臭消泡剤。
【請求項５】
請求項１〜４のいずれかの消臭消泡剤において、
さらに、防腐剤を備えることを特徴とする消臭消泡剤。
【請求項６】
消臭消泡剤であって、
両性界面活性剤と、
自己乳化型消泡剤と、
防腐剤と、
防錆剤と、
を備え、
消臭機能及び消泡機能を有することを特徴とする消臭消泡剤。
【請求項７】
レンズ加工消臭消泡方法であって、
加工水又は排水の少なくともいずれかにに対して、両性界面活性剤と、自己乳化型消泡剤と、を併用して用いることによって、レンズ加工時における消臭及び消泡を行うことを特徴とするレンズ加工消臭消泡方法。
【請求項８】
レンズを加工具によって加工するレンズ加工方法であって、
加工水供給タンクからレンズ加工室に加工水を提供し、レンズと加工具との接触位置に向けて前記加工水を出射する加工水供給ステップと、
前記加工水供給ステップによって供給された前記加工水を供給した状態下において、レンズと加工具とを接触させてレンズの加工を行う加工ステップと、
前記加工ステップにおいて、供給された前記加工水の排水を排水タンクへ流す排水ステップと、
前記加工水又は前記排水の少なくともいずれかに対して、両性界面活性剤と、自己乳化型消泡剤と、を併用して混合することによって、レンズ加工時における消臭及び消泡を行う消臭消泡ステップと、
を備えることを特徴とするレンズ加工方法。
【発明の詳細な説明】
【技術分野】
【０００１】
本開示は、レンズを加工する際に用いる消臭消泡剤、レンズ加工時における消臭及び消泡を行うレンズ加工消臭消泡方法、及びレンズ加工時における消臭及び消泡を行うレンズ加工方法に関するものである。
【背景技術】
【０００２】
従来、レンズ加工装置は、レンズを加工する際に、加工水を加工具とレンズとの接触位置に向けて出射しながら加工を行っている。レンズ加工に用いられた加工水は、排水として排水タンクに流される。排水タンクに溜められた排水は、加工屑を沈降させ、使用者等によって水と加工屑とに分離されて廃棄されている。
【０００３】
なお、レンズ加工において、排水タンクに排水が流される際に、大量の泡が発生するため、消泡剤を用いて泡を消滅させる方法が知られていた（特許文献１参照）。また、レンズを加工において、異臭や悪臭が発生するため、消臭剤を用いて消臭を行っていることがある。
【先行技術文献】
【特許文献】
【０００４】
【特許文献１】特開平１１−３２０４０８号公報
【発明の概要】
【発明が解決しようとする課題】
【０００５】
ところで、従来、消臭剤は、消臭機能はあるもののレンズの加工の際の泡の発生を促進するため、消臭剤を使用する場合には、泡が発生しやすい状態となっていた。また、従来、消泡剤は、消泡機能はあるものの消臭機能を備えていなかった。
【０００６】
さらに、例えば、本発明者らは、消臭剤と消泡剤を混合させて使用することを検討し、消臭剤が消泡効果を抑制する影響等によって、消臭機能及び消泡機能を所望する（期待する）程度に効果的に発揮させることが困難であることを発見した。
【０００７】
本開示は、上記問題点を鑑み、レンズ加工において、消臭機能及び消泡機能を効果的に発揮することができる消臭消泡剤、レンズ加工消臭消泡方法、及びレンズ加工方法を提供することを技術課題とする。
【課題を解決するための手段】
【０００８】
上記課題を解決するために、本開示は以下のような構成を備えることを特徴とする。
【０００９】
（１）  本開示の第１態様に係る消臭消泡剤は、レンズを加工時における加工水又は排水と混合させながら用いられる消臭消泡剤であって、両性界面活性剤と、自己乳化型消泡剤と、を備え、消臭機能及び消泡機能を有することを特徴とする。
（２）  本開示の第２態様に係る消臭消泡剤は、消臭消泡剤であって、両性界面活性剤と、自己乳化型消泡剤と、防腐剤と、防錆剤と、を備え、消臭機能及び消泡機能を有することを特徴とする。
（３）  本開示の第３態様に係るレンズ加工消臭消泡方法は、レンズ加工方法であって、加工水又は排水の少なくともいずれかにに対して、両性界面活性剤と、自己乳化型消泡剤と、を併用して用いることによって、レンズ加工時における消臭及び消泡を行うことを特徴とする。
（４）  本開示の第４態様に係るレンズ加工方法は、レンズを加工具によって加工するレンズ加工方法であって、加工水供給タンクからレンズ加工室に加工水を提供し、レンズと加工具との接触位置に向けて前記加工水を出射する加工水供給ステップと、前記加工水供給ステップによって供給された前記加工水を供給した状態下において、レンズと加工具とを接触させてレンズの加工を行う加工ステップと、前記加工ステップにおいて、供給された前記加工水の排水を排水タンクへ流す排水ステップと、前記加工水又は前記排水の少なくともいずれかに対して、両性界面活性剤と、自己乳化型消泡剤と、を併用して混合することによって、レンズ加工時における消臭及び消泡を行う消臭消泡ステップと、を備えることを特徴とする。
【発明を実施するための形態】
【００１０】
本発明者らは鋭意研究を重ねた結果、両性界面活性剤と、自己乳化型消泡剤と、を備える消臭消泡剤が、互いの機能を抑制する作用を軽減し、消臭機能及び消泡機能を効果的に発揮することを見出した。すなわち、本発明者らは、消臭機能を有する溶液（消臭剤）として両性界面活性剤と、消泡機能を有する溶液（消泡剤）として自己乳化型消泡剤と、を備える溶液が、より効果的に消臭機能及び消泡機能を有する消臭消泡剤として用いることができることを見出した。さらに、両性界面活性剤と、自己乳化型消泡剤と、を備える消臭消泡剤を使用した場合の消泡効果が、消泡剤を単体で使用した場合の消泡効果と比較して、より高められることを見出した。なお、本実施形態における消臭消泡剤は、種々の状態（例えば、固体状、液体状等）のものを適用することができる。
【００１１】
例えば、消臭消泡剤は、レンズを加工時における加工水及び排水の少なくともいずれかと混合させながら用いられる。なお、例えば、両性界面活性剤と、自己乳化型消泡剤と、を備える消臭消泡剤とは、予め、両性界面活性剤と、自己乳化型消泡剤と、が混合されて、１液となっているものであってもよい。また、例えば、両性界面活性剤と、自己乳化型消泡剤と、を備える消臭消泡剤とは、両性界面活性剤と、自己乳化型消泡剤と、がそれぞれ設けられ、レンズ加工時（例えば、レンズ加工前、レンズ加工中、レンズ加工後等）に、両性界面活性剤と、自己乳化型消泡剤と、が混合されるものであってもよい。
【００１２】
従来、消臭剤は、消臭機能はあるもののレンズの加工の際の泡の発生を促進するため、消臭剤を使用する場合には、泡が発生しやすい状態となっていた。また、従来、消泡剤は、消泡機能はあるものの消臭機能がないとともに、加工後の加工水において加工屑が沈降しづらく、加工屑と水とが分離しづらい状態となっていた。また、例えば、従来、消泡剤と消臭剤を混合させて使用した場合に、消臭剤が消泡効果を抑制する影響等によって、消臭機能及び消泡機能を溶液の使用者が所望する（期待する）程度に効果的に発揮させることは困難であった。
【００１３】
例えば、本実施形態のように、レンズの加工時において、両性界面活性剤と自己乳化型消泡剤を備える消臭消泡剤を加工水又は排水の少なくともいずれかに対して混合させながら、レンズの加工を行うことによって、より効果的に、レンズの加工の際に発生する臭いを抑制することができるとともに、加工屑が加工水に混入することで発生する泡を抑制することができる。すなわち、消臭剤による泡の発生の促進効果を抑制することができ、レンズの加工の際に発生する臭いを抑制することができるとともに、加工屑が加工水に混入することで発生する泡を抑制することができる。このように、臭いを抑制することによって、レンズ加工装置の使用者、眼鏡の購入者等が不快感を抑制することができる。また、泡の発生を抑制することによって、泡が加工水の保持されたタンクから溢れでてしまうことを抑制するとともに、泡がレンズ加工装置の加工室内に侵入して加工室内の各部材が汚れてしまうことを抑制する。
【００１４】
また、例えば、本実施形態のように、レンズを加工時において、両性界面活性剤と自己乳化型消泡剤を備える消臭消泡剤を加工水又は排水の少なくともいずれかに対して混合させながら、レンズの加工を行うことによって、消泡剤を単体で使用した場合と比較して、レンズの加工の際に発生する泡をより抑制することができる。すなわち、両性界面活性剤と、自己乳化型消泡剤と、を備える消臭消泡剤を使用した場合の消泡効果が、消泡剤を単体で使用した場合の消泡効果と比較して、消泡効果をより高めることができる。
【００１５】
また、例えば、本実施形態のように、レンズを加工時において、両性界面活性剤と自己乳化型消泡剤を備える消臭消泡剤を加工水又は排水の少なくともいずれかに対して混合させながら、レンズの加工を行うことによって、加工後の加工水において加工屑を沈降しやすい状態とすることができる。これによって、水と加工屑を分離しやすくすることができる。
【００１６】
また、例えば、本実施形態のように、両性界面活性剤と自己乳化型消泡剤を備える消臭消泡剤は、少量の消臭消泡剤（少量の両性界面活性剤と少量の自己乳化型消泡剤）を加工水又は排水に対して混合するだけで、種々の機能を提供することができる。
【００１７】
また、例えば、本実施形態のように、レンズを加工時において、消臭消泡剤としては、両性界面活性剤と、自己乳化型消泡剤と、が予め混合され、１液となっている消臭消泡剤を用いることで、消臭剤と、消泡剤と、を別途それぞれ用意する必要なく、１つの液で種々の機能を提供することができる。
【００１８】
例えば、両性界面活性剤としては、ベタイン型両性界面活性剤、アミノ酸型両性界面活性剤、イミダゾリン型両性界面活性剤、アルキルポリアミノ酸型両性界面活性剤、アミンオキシド型両性界面活性剤、等が挙げられる。なお、両性界面活性剤としては、上記記載の界面活性剤に限定されない。例えば、両性界面活性剤としては、公知の両性界面活性剤の中から適宜選択できる。もちろん、両性界面活性剤として、２つ以上の両性界面活性剤を組み合せて使用するようにしてもよい。
【００１９】
なお、これらの両性界面活性剤の中でも、両性界面活性剤はベタイン型両性界面活性剤であることがより好ましい。例えば、本実施形態において、両性界面活性剤として、ベタイン型両性界面活性剤を用いることによって、消臭機能をより向上させることができる。
【００２０】
例えば、ベタイン型両性界面活性剤としては、アニオン部分としてカルボキシルキをもち、四級アンモニウム塩型のカチオン部分を有するものが挙げられる。例えば、アルキルベタイン型両性界面活性剤、カルボキシベタイン型両性界面活性剤、アミドベタイン型両性界面活性剤、スルホベタイン型両性界面活性剤、ヒドロキシスルホベタイン型両性界面活性剤、アミドスルホベタイン型両性界面活性剤、ホスホベタイン型両性界面活性剤、イミドゾリニウムベタイン型両性界面活性剤、等が挙げられる。
【００２１】
例えば、自己乳化型消泡剤は、自己乳化型シリコーン系消泡剤である。例えば、シリコーン系消泡剤は、消泡剤の消泡効果を担う有効成分（消泡成分）としてシリコーン化合物を備える。例えば、シリコーン化合物は、シロキサン結合を基本骨格とし、ケイ素の側鎖にメチル基などの有機基を有する有機ケイ素樹脂が挙げられる。なお、シリコーン系消泡剤は、他の成分（例えば、溶媒、無機物、添加物、等）を含む構成としてもよい。
【００２２】
例えば、自己乳化型消泡剤（自己乳化型）とは、オイルコンパウンド型消泡剤に、自己乳化性を付与する添加剤を配合したものを示す。例えば、自己乳化性を付与する添加剤としては、ジメチルポリシロキサンのメチル基をポリオキシアルキレン基のような親水基で一部置換した変性シリコーンオイルであってもよい。なお、この変性シリコーンオイルはシリコーンオイルに対して優れた乳化力を示す。
【００２３】
例えば、上記記載のオイルコンパウンド型消泡剤（オイルコンパウンド）とは、オイル型消泡剤中に、シリカ、アルミナなどの微粉末を均一分散させたものを示す。また、例えば、上記記載のオイル型消泡剤（オイル型）とは、ジメチルポリシロキサン（シリコーンオイル）又はジメチルポリシロキサンのメチル基を、他のアルキル基やポリオキシアルキレン基で一部置換した変性シリコーンオイルを言う。
【００２４】
なお、本実施形態において、例えば、両性界面活性剤及び自己乳化型消泡剤としては、溶液（実施形態の場合、加工水又は排水）の全量に対して種々の含有量（濃度）で用いることができる。なお、例えば、両性界面活性剤としては、溶液（実施形態の場合、加工水又は排水）の全量に対して０．０５重量％以上の割合で混合されることがより好ましい。また、例えば、自己乳化型消泡剤としては、溶液（実施形態の場合、加工水又は排水）の全量に対して０．０１重量％以上の割合で混合されることがより好ましい。両性界面活性剤及び自己乳化型消泡剤が上記のような割合で混合されることによって、より効果的に消臭効果、及び消泡効果が発揮される。
【００２５】
なお、本実施形態において、さらに、消臭消泡剤が防錆剤を備える構成であってもよい。例えば、防錆剤としては、亜リン酸塩、亜硫酸塩、アスコルビン酸、脂肪族アミンなどの還元剤、エチレンジアミン四酢酸（ＥＤＴＡ）、クエン酸などのキレート剤、等が挙げられる。なお、防錆剤としては、上記記載の防錆剤に限定されない。例えば、防錆剤としては、公知の防錆剤の中から適宜選択できる。なお、防錆剤としては、２つ以上の防錆剤を組み合せて使用するようにしてもよい。なお、例えば、消臭消泡剤が防錆剤を備える構成とは、予め、防錆剤が消臭消泡剤に対して混合され、１液となっているものであってもよい。また、例えば、消臭消泡剤が防錆剤を備える構成とは、消臭消泡剤と防錆剤とがレンズ加工時に混合されているものであってもよい。例えば、本実施形態において、消臭消泡剤が防錆剤を備えることによって、消臭消泡剤をレンズの加工に用いた場合に、レンズ加工装置内の各部材が消臭消泡剤によって錆が発生することを抑制することができる。
【００２６】
なお、本実施形態において、さらに、消臭消泡剤がカチオン界面活性剤を備える構成であってもよい。例えば、カチオン界面活性剤としては、脂肪族アミン塩、脂肪族四級アンモニウム塩、塩化ベンザルコニウム、塩化ベンゼトニウム、ピリジニウム塩、イミダゾリニウム塩、等が挙げられる。なお、カチオン界面活性剤としては、上記記載のカチオン界面活性剤に限定されない。例えば、カチオン界面活性剤としては、公知のカチオン界面活性剤の中から適宜選択できる。なお、例えば、消臭消泡剤がカチオン界面活性剤を備える構成としては、予め、カチオン界面活性剤が消臭消泡剤に混合され、１液となっているものであってもよい。また、例えば、消臭消泡剤がカチオン界面活性剤を備える構成とは、カチオン界面活性剤と消臭消泡剤とが、レンズ加工時に混合されるものであってもよい。例えば、本実施形態において、消臭消泡剤がカチオン界面活性剤を備えることによって、加工後の加工水において、沈殿する加工屑により粘性を持たせることができ、加工水を振動させた場合であっても、沈殿した加工屑と加工水が混合することを抑制することができる。これによって、より水と加工屑を分離しやすくすることができる。
【００２７】
なお、本実施形態において、さらに、消臭消泡剤が香料を備える構成であってもよい。例えば、香料としては、天然香料、合成香料を用いることができる。例えば、香料としては、公知の香料の中から適宜選択できる。なお、例えば、消臭消泡剤が香料を備える構成とは、予め、香料が消臭消泡剤に対して、混合され、１液となっているものであってもよい。また、例えば、消臭消泡剤が香料を備える構成とは、香料と消臭消泡剤とが、レンズ加工時に混合されるものであってもよい。例えば、本実施形態において、消臭消泡剤が香料を備えることによって、レンズを加工した場合であっても、レンズ加工装置の使用者、眼鏡の購入者等が良好な香りを感じることができる。
【００２８】
なお、本実施形態において、さらに、消臭消泡剤が防腐剤を備える構成であってもよい。例えば、防腐剤としては、安息香酸、ソルビン酸、パラオキシ安息香酸エステル類、デヒドロ酢酸ナトリウム、プロピオン酸、及びそれらの塩類等が挙げられる。なお、例えば、消臭消泡剤が防腐剤を備える構成とは、予め、防腐剤が、消臭消泡剤に対して、混合され、１液となっているものであってもよい。また、例えば、消臭消泡剤が防腐剤を備える構成とは、防腐剤と消臭消泡剤とが、レンズ加工時に混合されるものであってもよい。例えば、本実施形態において、消臭消泡剤が防腐剤を備えることによって、加工水が腐ることを抑制することができる。これによって、レンズ加工装置から異臭、悪臭が発生することを抑制することができる。
【００２９】
なお、例えば、本実施形態における消泡消臭剤を用いた排水に凝集剤を添加するようにしてもよい。消泡消臭剤を用いた排水に凝集剤を添加することによって、排水中の加工屑が凝集し、沈殿しやすい状態となる。すなわち、排水において、水と加工屑をより分離しやすくすることができる。
【００３０】
なお、例えば、本実施形態における消泡消臭剤を用いた排水に凝固剤を添加するようにしてもよい。消泡消臭剤を用いた排水に凝固剤を添加することによって、排水を凝固させることができ、廃棄がしやすくなる。
【００３１】
次に、本実施形態における消臭消泡剤を用いたレンズ加工方法について説明する。本実施形態において、例えば、レンズ加工方法は、レンズ加工における加工水又は排水の少なくともいずれかにに対して、両性界面活性剤と、自己乳化型消泡剤と、を併用して用いることによって、レンズ加工時における消臭及び消泡を行う。本実施形態における消臭消泡剤は、レンズ加工によって発生する臭い及び泡を抑制することができ、好適にレンズ加工を行うことができるため、レンズ加工に用いることが適している。また、レンズ加工に適する消臭消泡剤としては、両性界面活性剤と、自己乳化型消泡剤と、防錆剤と、防腐剤と、を備えるものを用いてもよい。例えば、このような消臭消泡剤は、レンズ加工装置において消臭消泡剤によって錆が発生することを抑制することができる。また、例えば、このような消臭消泡剤は、レンズ加工装置で用いられる水（加工水、排水）が腐ることによって、異臭、悪臭等の発生することを抑制するとともに、レンズ加工装置で用いられる水（加工水、排水）が腐ることによって、レンズ加工装置内における水（加工水、排水）の通路の汚れ、つまり等の発生を抑制することができる。
【００３２】
本実施形態において、例えば、レンズ加工方法は、加工水供給タンクからレンズ加工室に加工水を提供し、レンズと加工具との接触位置に向けて前記加工水を出射する。例えば、レンズ加工方法は、供給された前記加工水を供給した状態下において、レンズと加工具とを接触させてレンズの加工を行う。例えば、レンズ加工方法は、供給された前記加工水の排水を排水タンクへ流す。レンズ加工方法は、加工水又は排水の少なくともいずれかに対して、両性界面活性剤と、自己乳化型消泡剤と、を併用して混合することによって、レンズ加工時における消臭及び消泡を行う。
【００３３】
消臭消泡剤を用いたレンズ加工方法についてより詳細に説明する。例えば、レンズ加工装置は、レンズが保持されたレンズチャック軸と、加工具と、の相対的な位置関係を調整し、レンズと加工具を接触させて加工を行う。例えば、レンズと加工具を接触させる際、レンズ加工装置のタンクより加工水が加工室内に提供される。例えば、レンズ加工装置の加工水供給タンクより、水と消臭消泡剤を接触させた加工水がレンズ加工装置の加工室に供給される。例えば、加工室に供給された加工水は、レンズと加工具との接触位置に向けて出射される。
【００３４】
例えば、レンズ加工装置は、加工水が出射された（供給された）状態下で、レンズと加工具とを接触させて加工を行う。例えば、加工水を出射するノズルから、加工室内におけるレンズと加工具との加工位置に向けて加工水が出射される。加工水が出射された状態下で、レンズと加工具とを接触させて加工を行う。
【００３５】
例えば、レンズ加工に用いられた加工水は、排水としてレンズ加工装置の排水タンクに流される。なお、例えば、加工水供給タンクと排水タンクは、別途、それぞれ設けられる構成であってもよいし、加工水供給タンクと排水タンクは兼用される構成であってもよい。なお、加工水供給タンクと排水タンクは、レンズ加工装置と一体的に設けられる構成であってもよいし、レンズ加工装置とは別途、異なる装置として設けられ、レンズ加工装置と接続される構成であってもよい。
【００３６】
例えば、消臭消泡剤は、レンズ加工において、加工水及び排水の少なくとも一方に混合される。例えば、消臭消泡剤としては、両性界面活性剤と、自己乳化型消泡剤と、が別々に設けられ、加工水及び排水に順に混合されるようにしてもよい。また、両性界面活性剤と、自己乳化型消泡剤と、が予め混合された消臭消泡剤が、加工水及び排水の少なくとも一方に混合されるようにしてもよい。
【００３７】
例えば、消臭消泡剤が、加工水及び排水の少なくとも一方に混合される構成としては、予め、加工水供給タンク内で混合されるようにしてもよい。また、例えば、消臭消泡剤が、加工水及び排水の少なくとも一方に混合される構成としては、レンズと加工具に向けて加工水が供給されるまでの間に混合されるようにしてもよい。また、例えば、消臭消泡剤が、加工水及び排水の少なくとも一方に混合される構成としては、レンズと加工具に対して加工水が供給された後（排水として排出される際）に混合されるようにしてもよい。
【００３８】
例えば、排水タンクに溜められた排水は、使用者等によって水と加工屑とに分離されて廃棄される。なお、例えば、排水タンクに溜められた排水に凝集剤を添加するようにしてもよい。消泡消臭剤を用いた排水に凝集剤を添加することによって、排水中の加工屑が凝集し、沈殿しやすい状態となる。すなわち、排水において、水と加工屑をより分離しやすくすることができる。また、例えば、排水タンクに溜められた排水に凝固剤を添加するようにしてもよい。消泡消臭剤を用いた排水に凝固剤を添加することによって、排水を凝固させることができ、廃棄がしやすくなる。以上のようにして、消臭消泡剤を用いてレンズ加工が行われる。  
【００３９】
以下、本実験例及び比較例を示して本開示を具体的に説明するが、本開示は、下記実験例に制限されるものではない。以下の実験例１〜６では、種々の両性界面活性剤と、種々の自己乳化型消泡剤（自己乳化型シリコーン系消泡剤）と、をレンズ加工後の排水に添加し、種々の両性界面活性剤と種々の自己乳化型消泡剤（自己乳化型シリコーン系消泡剤）とを備える消臭消泡剤の消泡機能、及び消臭機能を評価した。実験例７〜１４では、実験例１における両性界面活性剤及び自己乳化型消泡剤の少なくとも一方の含有量（濃度）を変更し、消泡機能、及び消臭機能を評価した。
【００４０】
比較例１〜３では、実験例１〜６の消臭消泡剤と比較するために、種々の消臭剤（両性界面活性剤を含む）をレンズ加工後の排水に添加し、消泡機能、及び消臭機能、を評価した。比較例４〜６では、実験例１〜６の消臭消泡剤と比較するために、種々の消泡剤（自己乳化型消泡剤を含む）をレンズ加工後の排水に添加し、消泡機能、及び消臭機能、を評価した。比較例７では、実験例１〜６の消臭消泡剤と比較するために、種々の消臭剤（両性界面活性剤を除く）と、自己乳化型消泡剤（自己乳化型シリコーン系消泡剤）と、をレンズ加工後の排水に添加し、種々の消臭剤と自己乳化型消泡剤（自己乳化型シリコーン系消泡剤）とを備える消臭消泡剤の消泡機能、及び消臭機能を評価した。比較例８〜１１では、実験例１〜６の消臭消泡剤と比較するために、種々の両性界面活性剤と、種々の消泡剤（自己乳化型消泡剤を除く）と、をレンズ加工後の排水に添加し、種々の両性界面活性剤と種々の消泡剤とを備える消臭消泡剤の消泡機能、及び消臭機能を評価した。
【００４１】
なお、以下の実験例及び比較例において、種々の消臭剤と、種々の消泡剤と、をそれぞれ、別途、添加する方法を用いているが、種々の消臭剤と、種々の消泡剤とを、予め、混合し、した状態で、加工排水に対して添加するようにしても、同様の評価結果を得ることができる。
【００４２】
＜実験例１＞
レンズ加工装置（株式会社ニデック  ＭＥ−１２００）にて、６０枚のレンズを加工した加工排水１５ｍｌを５０ｍｌバイアル瓶に採取した。６０枚のレンズは、１．７４レンズ（ケミグラス製）２０枚、ＭＲ−８レンズ（ケミグラス製）２０枚、ＣＲ３９レンズ（ケミグラス製）２０枚を用いた。採取した加工排水１５ｍｌ入り５０ｍｌバイアル瓶に対して、消臭機能を有する溶液（消臭剤）として、アミドベタイン型両性界面活性剤（泰光油脂化学工業株式会社製、タイポールソフトＡＭ−１００Ｎ、３０％水溶液）を０．０２５ｇ（加工排水の全量に対して０．０５重量％）添加し、消泡機能を有する溶液（消泡剤）として、水で２０重量％に希釈した自己乳化型シリコーン系消泡剤（信越化学工業株式会社製、ＫＳ−５３０）を０．００７５ｇ（加工排水の全量に対して０．０１重量％）添加した。上記のタイポールソフトＡＭ−１００ＮとＫＳ−５３０を添加した加工排水の入ったバイアル瓶を１０秒間、手で振盪した。上記のように得られた加工排水について下記の評価を行った。また、下記の他の実験例、比較例についても同様の評価をした。評価結果を表１に示した。
【００４３】
［消臭機能評価］
上記のように、１０秒間、手で振盪した加工排水の入ったバイアル瓶の蓋をあけて臭いを嗅いで、確認した。評価方法としては、レンズ加工排水に添加剤がないものを基準（臭いのあるもの）とし、悪臭がより抑制された、悪臭が抑制された、悪臭がのこっている、又は臭いが変化して異なる悪臭がする、に分けて評価した。評価基準は以下のように設定した。
◎：悪臭がより抑制された。
○：悪臭が抑制された。   
×：悪臭が残っている、もしくは臭いが変化して異なる悪臭がする。
【００４４】
［消泡機能評価］
上記消臭機能を評価後、加工排水の入ったバイアル瓶を１０秒間、手で振盪した。１０秒間、手で振盪した加工排水の入ったバイアル瓶を静置し、消泡の速さと（１０秒後に消泡されているか）、泡立ち量と、を目視にて確認することによって評価した。評価基準は以下のように設定した。泡の積層がどの程度確認した。
◎：泡立ち量が少なく、消泡の速さが非常に速い
○：泡立ち量が少なく、消泡の速さが速い。
△：泡立ち量が多く、消泡の速さが遅い。
×：泡立ち量が非常に多く、消泡の速さが非常に遅い。
【００４５】
＜実験例２＞
タイポールソフトＡＭ−１００Ｎの代わりに、アルキルベタイン型両性界面活性剤（泰光油脂化学工業株式会社製、タイポールソフトＣＢ−３０Ｎ、３０％水溶液）を０．０２５ｇ（加工排水の全量に対して０．０５重量％）用いた以外は、実験例１と同様に加工排水を作製した。この加工排水を用いて、実験例１と同様に評価を行った。評価結果を表１に示した。
【００４６】
＜実験例３＞
タイポールソフトＡＭ−１００Ｎの代わりに、イミダベタイン型両性界面活性剤（泰光油脂化学工業株式会社製、タイポールソフトＣＭＺ−３０、３０％水溶液）を０．０２５ｇ（加工排水の全量に対して０．０５重量％）用いた以外は、実験例１と同様に加工排水を作製した。この加工排水を用いて、実験例１と同様に評価を行った。評価結果を表１に示した。
【００４７】
＜実験例４＞
タイポールソフトＡＭ−１００Ｎの代わりに、アミノ酸型両性界面活性剤（泰光油脂化学工業株式会社製、タイポールソフトＬＡＰ−１０、３０％水溶液）を０．０２５ｇ（加工排水の全量に対して０．０５重量％）用いた以外は、実験例１と同様に加工排水を作製した。この加工排水を用いて、実験例１と同様に評価を行った。評価結果を表１に示した。
【００４８】
＜実験例５＞
タイポールソフトＡＭ−１００Ｎの代わりに、アミノオキシド酸型両性界面活性剤（泰光油脂化学工業株式会社製、タイポールソフトＡＯＣ−３０、３０％水溶液）を０．０２５ｇ（加工排水の全量に対して０．０５重量％）用いた以外は、実験例１と同様に加工排水を作製した。この加工排水を用いて、実験例１と同様に評価を行った。評価結果を表１に示した。
【００４９】
＜実験例６＞
ＫＳ−５３０の代わりに、水で２０重量％に希釈した自己乳化型シリコーン系消泡剤（信越化学工業株式会社製、ＫＳ−５３１）を０．００７５ｇ（加工排水の全量に対して０．０１重量％）用いた以外は、実験例１と同様に加工排水を作製した。この加工排水を用いて、実験例１と同様に評価を行った。評価結果を表１に示した。
【００５０】
＜実験例７＞
タイポールソフトＡＭ−１００Ｎの添加量を１．５ｇ（加工排水の全量に対して３．０重量％）用いた以外は、実験例１と同様に加工排水を作製した。この加工排水を用いて、実験例１と同様に評価を行った。評価結果を表１に示した。
【００５１】
＜実験例８＞
ＫＳ−５３０の添加量を０．７５ｇ（加工排水の全量に対して１．０重量％）用いた以外は、実験例１と同様に加工排水を作製した。この加工排水を用いて、実験例１と同様に評価を行った。評価結果を表１に示した。
【００５２】
＜実験例９＞
タイポールソフトＡＭ−１００Ｎの添加量を１．５ｇ、ＫＳ−５３０の添加量を０．７５ｇ用いた以外は、実験例１と同様に加工排水を作製した。この加工排水を用いて、実験例１と同様に評価を行った。評価結果を表１に示した。
【００５３】
＜実験例１０＞
タイポールソフトＡＭ−１００Ｎの添加量を０．０１ｇ（加工排水の全量に対して０．０２重量％）用いた以外は、実験例１と同様に加工排水を作製した。この加工排水を用いて、実験例１と同様に評価を行った。評価結果を表１に示した。
【００５４】
＜実験例１１＞
ＫＳ−５３０の添加量を０．００３７５ｇ（加工排水の全量に対して０．００５重量％）用いた以外は、実験例１と同様に加工排水を作製した。この加工排水を用いて、実験例１と同様に評価を行った。評価結果を表１に示した。
【００５５】
＜実験例１２＞
タイポールソフトＡＭ−１００Ｎの添加量を０．０１ｇ、ＫＳ−５３０の添加量を０．００３７５ｇ用いた以外は、実験例１と同様に加工排水を作製した。この加工排水を用いて、実験例１と同様に評価を行った。評価結果を表１に示した。
【００５６】
＜実験例１３＞
タイポールソフトＡＭ−１００Ｎの添加量を０．０１ｇ、ＫＳ−５３０の添加量を０．７５ｇ用いた以外は、実験例１と同様に加工排水を作製した。この加工排水を用いて、実験例１と同様に評価を行った。評価結果を表１に示した。
【００５７】
＜実験例１４＞
タイポールソフトＡＭ−１００Ｎの添加量を１．５ｇ、ＫＳ−５３０の添加量を０．００３７５ｇ用いた以外は、実験例１と同様に加工排水を作製した。この加工排水を用いて、実験例１と同様に評価を行った。評価結果を表１に示した。
【００５８】
【表１】
2017127793.tif 000002
【００５９】
＜比較例１＞
レンズ加工装置（株式会社ニデック  ＭＥ−１２００）にて、６０枚のレンズを加工した加工排水１５ｍｌを５０ｍｌバイアル瓶に採取した。６０枚のレンズは、１．７４レンズ（ケミグラス製）２０枚、ＭＲ−８レンズ（ケミグラス製）２０枚、ＣＲ３９レンズ（ケミグラス製）２０枚を用いた。採取した加工排水１５ｍｌ入り５０ｍｌバイアル瓶に対して、消臭機能を有する溶液（消臭剤）として、タイポールソフトＡＭ−１００Ｎを０．０２５ｇ（加工排水の全量に対して０．０５重量％）添加した。上記のタイポールソフトＡＭ−１００Ｎを添加した加工排水の入ったバイアル瓶を１０秒間、手で振盪した。この加工排水を用いて、実験例１と同様に評価を行った。評価結果を表２に示した。
【００６０】
＜比較例２＞
タイポールソフトＡＭ−１００Ｎの代わりに、タイポールソフトＬＡＰ−１０を０．０２５ｇ用いた以外は、比較例１と同様に加工排水を作製した。この加工排水を用いて、実験例１と同様に評価を行った。評価結果を表２に示した。
【００６１】
＜比較例３＞
タイポールソフトＡＭ−１００Ｎの代わりに、タイポールソフトＡＯＣ−３０を０．０２５ｇ用いた以外は、比較例１と同様に加工排水を作製した。この加工排水を用いて、実験例１と同様に評価を行った。評価結果を表２に示した。
【００６２】
＜比較例４＞
レンズ加工装置（株式会社ニデック  ＭＥ−１２００）にて、６０枚のレンズを加工した加工排水１５ｍｌを５０ｍｌバイアル瓶に採取した。採取した加工排水１５ｍｌ入り５０ｍｌバイアル瓶に対して、消泡機能を有する溶液（消泡剤）として、水で２０重量％に希釈したＫＳ−５３０を０．００７５ｇ（加工排水の全量に対して０．０１重量％）添加した。上記のＫＳ−５３０を添加した加工排水の入ったバイアル瓶を１０秒間、手で振盪した。この加工排水を用いて、実験例１と同様に評価を行った。評価結果を表２に示した。
【００６３】
＜比較例５＞
ＫＳ−５３０の代わりに、水で２０重量％に希釈したオイル型シリコーン系消泡剤（信越化学工業株式会社製、Ｘ−５０−１０３９Ａ）を０．００７５ｇ（加工排水の全量に対して０．０１重量％）用いた以外は、比較例４と同様に加工排水を作製した。この加工排水を用いて、実験例１と同様に評価を行った。評価結果を表２に示した。
【００６４】
＜比較例６＞
ＫＳ−５３０の代わりに、エマルジョン型シリコーン系消泡剤（共栄社化学株式会社製、アクアレン８０２０  ２４％水溶液）を０．００６２５ｇ（加工排水の全量に対して０．０１重量％）用いた以外は、比較例４と同様に加工排水を作製した。この加工排水を用いて、実験例１と同様に評価を行った。評価結果を表２に示した。
【００６５】
＜比較例７＞
タイポールソフトＡＭ−１００Ｎの代わりに、エポリオンＡＬ−１５５（共立製薬株式会社製、２０％水溶液）を０．００７５ｇ（加工排水の全量に対して０．０１重量％）用いた以外は、実験例１と同様に加工排水を作製した。この加工排水を用いて、実験例１と同様に評価を行った。評価結果を表２に示した。
【００６６】
＜比較例８＞
ＫＳ−５３０の代わりに、水で２０重量％に希釈したオイル型シリコーン系消泡剤（信越化学工業株式会社製、Ｘ−５０−１０３９Ａ）を０．００７５ｇ用いた以外は、実験例１と同様に加工排水を作製した。この加工排水を用いて、実験例１と同様に評価を行った。評価結果を表２に示した。
【００６７】
＜比較例９＞
ＫＳ−５３０の代わりに、エマルジョン型シリコーン系消泡剤（信越化学工業株式会社製、アクアレン８０２０  ２４％水溶液）を０．００６２５ｇ用いた以外は、実験例１と同様に加工排水を作製した。この加工排水を用いて、実験例１と同様に評価を行った。評価結果を表２に示した。
【００６８】
＜比較例１０＞
タイポールソフトＡＭ−１００Ｎの代わりに、タイポールソフトＬＡＰ−１０を０．０２５ｇ、ＫＳ−５３０の代わりに、水で２０重量％に希釈したＸ−５０−１０３９Ａを０．００７５ｇ用いた以外は、実験例１と同様に加工排水を作製した。この加工排水を用いて、実験例１と同様に評価を行った。評価結果を表２に示した。
【００６９】
＜比較例１１＞
タイポールソフトＡＭ−１００Ｎの代わりに、タイポールソフトＬＡＰ−１０を０．０２５ｇ、ＫＳ−５３０の代わりに、アクアレン８０２０（２４％水溶液）を０．００６２５ｇ用いた以外は、実験例１と同様に加工排水を作製した。この加工排水を用いて、実験例１と同様に評価を行った。評価結果を表２に示した。
【００７０】
【表２】
2017127793.tif 000003
【００７１】
（結果）
以上、表１、表２で示されるように、両性界面活性剤と、自己乳化型消泡剤と、を備える消臭消泡剤をレンズ加工時に用いることによって、レンズ加工によって発生する臭い（悪臭、異臭等）及び泡を効果的に抑制することができる。すなわち、本開示の消臭消泡剤は、消臭機能及び消泡機能を効果的に発揮する（消臭機能が○又は◎評価、消泡機能が○又は◎評価）。
【００７２】
また、両性界面活性剤と、自己乳化型消泡剤と、を備える消臭消泡剤をレンズ加工時に用いることによって、両性界面活性剤と、自己乳化型消泡剤と、を備える消臭消泡剤を使用した場合の消泡効果が、消泡剤を単体で使用した場合の消泡効果と比較してより向上する（消泡機能が○又は◎評価）。
【００７３】
また、両性界面活性剤として、ベタイン型両性界面活性剤を用いることによって、消臭機能をより向上させることができる（消臭機能が◎評価）。